【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
マシンツーマシン（Ｍ２Ｍ）端末機のネットワークアクセス方法であって、
前記Ｍ２Ｍ端末機がメンバーであるＭ２Ｍ端末機グループの識別子に基づいてアクセスコードセットからアクセスコードを決定するステップと、
前記決定されたアクセスコードを用いてネットワークにアクセスするステップと
を有することを特徴とするネットワークアクセス方法。
【請求項２】
前記Ｍ２Ｍ端末機グループに利用可能なアクセスコードの総数を取得するステップをさらに有することを特徴とする請求項１に記載の方法。
【請求項３】
前記アクセスコードを決定するステップは、
前記Ｍ２Ｍ端末機グループの識別子及び前記アクセスコードの総数に基づいて、前記アクセスコードセットから前記アクセスコードを決定するステップであることを特徴とする請求項２に記載の方法。
【請求項４】
前記アクセスコードの総数は、擬似ランダムバイナリシーケンス（ＰＲＢＳ）発生器を用いて取得されることを特徴とする請求項２に記載の方法。
【請求項５】
前記アクセスコードの総数の最大値は２５６であることを特徴とする請求項２に記載の方法。
【請求項６】
前記アクセスコードは、下記の数式に従って決定され、
【数１】
2014517585.tif 000001
ここで、ｒは、アクセスコードの識別子を示し、ＭＧＩＤは、Ｍ２Ｍ端末機グループの識別子を示し、Ｍは、アクセスチャネルを示し、ＮＭ２Ｍｇｒｏｕｐは、Ｍ２Ｍ端末機グループに利用可能なアクセスコードの総数を示すことを特徴とする請求項１に記載の方法。
【請求項７】
前記アクセスコードの多重化因子を取得するステップをさらに有することを特徴とする請求項１に記載の方法。
【請求項８】
Ｍ２Ｍ端末機グループの識別子の数及び前記多重化因子に基づいてアクセスチャネルを決定するステップをさらに有することを特徴とする請求項７に記載の方法。
【請求項９】
前記ネットワークにアクセスするステップは、
前記Ｍ２Ｍ端末機グループを代表して、前記決定されたアクセスチャネルで前記決定されたアクセスコードを用いて前記ネットワークにアクセスするステップであることを特徴とする請求項８に記載の方法。
【請求項１０】
前記アクセスチャネルは、下記の数式に従って決定され、
【数２】
2014517585.tif 000002
ここで、Ｍは、アクセスチャネルを示し、ＭＧＩＤｔｏｔａｌは、Ｍ２Ｍ端末機グループの識別子の総数を示し、αは、Ｍ２Ｍ端末機グループの多重化因子を示し、ＮＭ２Ｍｇｒｏｕｐは、Ｍ２Ｍ端末機グループに利用可能なアクセスコードの総数を示すことを特徴とする請求項８に記載の方法。
【請求項１１】
マシンツーマシン（Ｍ２Ｍ）端末機装置であって、
前記Ｍ２Ｍ端末機がメンバーであるＭ２Ｍ端末機グループの識別子に基づいてアクセスコードセットからアクセスコードを決定し、前記決定されたアクセスコードを用いてネットワークにアクセスするように構成される制御器
を有することを特徴とする装置。
【請求項１２】
前記制御器は、前記Ｍ２Ｍ端末機グループに利用可能なアクセスコードの総数を取得するようにさらに構成されることを特徴とする請求項１１に記載の装置。
【請求項１３】
前記制御器は、前記Ｍ２Ｍ端末機グループの識別子及び前記アクセスコードの総数に基づいて、前記アクセスコードセットから前記アクセスコードを決定するようにさらに構成されることを特徴とする請求項１２に記載の装置。
【請求項１４】
前記アクセスコードの総数は、擬似ランダムバイナリシーケンス（ＰＲＢＳ）発生器を用いて取得されることを特徴とする請求項１２に記載の装置。
【請求項１５】
前記アクセスコードの総数の最大値は２５６であることを特徴とする請求項１２に記載の装置。
【請求項１６】
前記アクセスコードは、下記の数式に従って決定され、
【数３】
2014517585.tif 000003
ここで、ｒは、アクセスコードの識別子を示し、ＭＧＩＤは、Ｍ２Ｍ端末機グループの識別子を示し、Ｍは、アクセスチャネルを示し、ＮＭ２Ｍｇｒｏｕｐは、Ｍ２Ｍ端末機グループに利用可能なアクセスコードの総数を示すことを特徴とする請求項１１に記載の装置。
【請求項１７】
前記制御器は、前記アクセスコードの多重化因子を取得するようにさらに構成されることを特徴とする請求項１１に記載の装置。
【請求項１８】
前記制御器は、Ｍ２Ｍ端末機グループの識別子の数及び前記多重化因子に基づいてアクセスチャネルを決定するようにさらに構成されることを特徴とする請求項１７に記載の装置。
【請求項１９】
前記制御器は、前記Ｍ２Ｍ端末機グループを代表して、前記決定されたアクセスチャネルで前記決定されたアクセスコードを用いて前記ネットワークにアクセスするようにさらに構成されることを特徴とする請求項１８に記載の装置。
【請求項２０】
前記アクセスチャネルは、下記の数式に従って決定され、
【数４】
2014517585.tif 000004
ここで、Ｍは、アクセスチャネルを示し、ＭＧＩＤｔｏｔａｌは、Ｍ２Ｍ端末機グループの識別子の総数を示し、αは、Ｍ２Ｍ端末機グループの多重化因子を示し、ＮＭ２Ｍｇｒｏｕｐは、Ｍ２Ｍ端末機グループに利用可能なアクセスコードの総数を示すことを特徴とする請求項１８に記載の装置。
【請求項２１】
基地局の動作方法であって、
マシンツーマシン（Ｍ２Ｍ）端末機からアクセスコードを受信するステップ
を有し、
前記アクセスコードは、Ｍ２Ｍ端末機グループの識別子に基づいてアクセスコードセットから決定され、
前記Ｍ２Ｍ端末機は、前記Ｍ２Ｍ端末機グループのメンバーであることを特徴とする方法。
【請求項２２】
前記アクセスコードは、前記Ｍ２Ｍ端末機グループに利用可能なアクセスコードの総数にさらに基づいて決定されることを特徴とする請求項２１に記載の方法。
【請求項２３】
前記アクセスコードの総数は、擬似ランダムバイナリシーケンス（ＰＲＢＳ）発生器を用いて取得されることを特徴とする請求項２２に記載の方法。
【請求項２４】
前記アクセスコードの総数の最大値は２５６であることを特徴とする請求項２２に記載の方法。
【請求項２５】
前記アクセスコードは、アクセスチャネルで受信され、
前記アクセスチャネルは、Ｍ２Ｍ端末機グループの識別子の数及び多重化因子に基づいて決定されることを特徴とする請求項２１に記載の方法。
【請求項２６】
基地局装置であって、
マシンツーマシン（Ｍ２Ｍ）端末機からアクセスコードを受信する受信器
を有し、
前記アクセスコードは、Ｍ２Ｍ端末機グループの識別子に基づいてアクセスコードセットから決定され、
前記Ｍ２Ｍ端末機は、前記Ｍ２Ｍ端末機グループのメンバーであることを特徴とする装置。
【請求項２７】
前記アクセスコードは、前記Ｍ２Ｍ端末機グループに利用可能なアクセスコードの総数にさらに基づいて決定されることを特徴とする請求項２６に記載の装置。
【請求項２８】
前記アクセスコードの総数は、擬似ランダムバイナリシーケンス（ＰＲＢＳ）発生器を用いて取得されることを特徴とする請求項２７に記載の装置。
【請求項２９】
前記アクセスコードの総数の最大値は２５６であることを特徴とする請求項２７に記載の装置。
【請求項３０】
前記受信器は、前記アクセスコードをアクセスチャネルで受信し、
前記アクセスチャネルは、Ｍ２Ｍ端末機グループの識別子の数及び多重化因子に基づいて決定されることを特徴とする請求項２６に記載の装置。